(57)【要約】【課題】電波吸収シートをやり直しなく所望の位置に貼り付けることができるシート貼付装置およびシート貼付方法を提供する。【解決手段】光トランシーバに設置されるシールド用のキャップが、上壁、上壁に対して鋭角状態で連なる鋭角曲げ部、鋭角曲げ部に連なると共に上壁に対して垂直方向で延びる前壁を備え、上壁の内面に電波吸収シートを貼り付けるシート貼付装置１である。上壁の内面に貼り付けられる面を外方に向けた電波吸収シートを保持すると共に、上壁の内面と鋭角曲げ部の内面との間に配置される先端部を有するスライダ保持部材３５と、保持された電波吸収シートを、上壁の内面と鋭角曲げ部の内面とで挟むようにキャップに向けて押し込むスライダ部材４２と、上壁の内面および前壁の内面を外方に向けたキャップを保持すると共に、上壁の内面を先端部に向けて回動可能な保持台１２とを備える。【選択図】図１
2015106687.tif 000002
【特許請求の範囲】
【請求項１】
光トランシーバに設置されるシールド用のキャップが、上壁、前記上壁に対して鋭角状態で連なる鋭角曲げ部、前記鋭角曲げ部に連なると共に前記上壁に対して垂直方向で延びる前壁を備え、前記上壁の内面に電波吸収シートを貼り付けるシート貼付装置であって、
前記上壁の内面に貼り付けられる面を外方に向けた前記電波吸収シートを保持すると共に、前記上壁の内面と前記鋭角曲げ部の内面との間に配置される先端部を有するスライダ保持部材と、
保持された前記電波吸収シートを、前記上壁の内面と前記鋭角曲げ部の内面とで挟むように前記キャップに向けて押し込むスライダ部材と、
前記上壁の内面および前記前壁の内面を外方に向けた前記キャップを保持すると共に、前記上壁の内面を前記先端部に向けて回動可能な保持台と
を備える、シート貼付装置。
【請求項２】
前記スライダ保持部材は、前記電波吸収シートを前記キャップに向けて押し込む際、前記電波吸収シートの側面に当接して支持するガイド部材を有している、請求項１に記載のシート貼付装置。
【請求項３】
前記キャップは、前記上壁の両側に連なる側壁を備え、前記保持台は、前記側壁に係合して前記キャップを位置決めすると共に、前記電波吸収シートを前記キャップに向けて押し込む際、前記電波吸収シートの側面に当接して支持する支柱を有している、請求項２に記載のシート貼付装置。
【請求項４】
光トランシーバに設置されるシールド用のキャップが、上壁、前記上壁に対して鋭角状態で連なる鋭角曲げ部、前記鋭角曲げ部に連なると共に前記上壁に対して垂直方向で延びる前壁を備え、前記上壁の内面に電波吸収シートを貼り付けるシート貼付方法であって、
前記キャップを、前記上壁の内面および前記前壁の内面を外方に向けて配置するステップと、
前記電波吸収シートを、前記上壁の内面に貼り付けられる面を外方に向けて配置するステップと、
配置された前記電波吸収シートを前記上壁の内面と前記鋭角曲げ部の内面との間に再配置するステップと、
再配置された前記電波吸収シートを、前記上壁の内面と前記鋭角曲げ部の内面とで挟むように前記キャップに向けて押し出すステップと、
前記上壁の内面と前記鋭角曲げ部の内面とで挟まれた前記電波吸収シートを前記キャップに向けて押し込むステップと、
前記上壁の内面を前記電波吸収シートに向けて回動させるステップと
を含む、シート貼付方法。
【発明の詳細な説明】
【技術分野】
【０００１】
本発明は、シート貼付装置およびシート貼付方法に関し、特に、光トランシーバに設置されるシールド用のキャップに電波吸収シートを貼り付けるシート貼付装置およびシート貼付方法に関する。
【背景技術】
【０００２】
光トランシーバは、光電変換素子を備え、光コネクタを介して光信号を送受信することができる。この光トランシーバはレセプタクルと金属製の筐体とを有し、レセプタクルには、光コネクタが着脱自在に接続される。一方、筐体内には、光電変換素子の他、回路基板等が収容されている。回路基板には、光電変換素子との間で電気信号を授受する多数の電子部品が実装され、また、所望の電気回路が形成されている。
【０００３】
この光トランシーバでは高周波信号が発生しており、周辺の機器が誤動作しないように、外部への電磁放射（ＥＭＩ）を低減させることが極めて重要になる。
例えば、特許文献１には、金属製のカバーの他、シールド用のキャップを設けてＥＭＩの低減を図る光トランシーバの技術が開示されている。詳しくは、図１１（Ａ）に示すように、筐体６０は、例えばハウジング６１やカバー６２、シールド用のキャップ６６を備えている。ハウジング６１は、上方に向けて開口した断面Ｕ字状に形成されている。カバー６２は、ハウジング６１の開口周縁に当接可能に構成され、その上方からハウジング６１の開口を閉塞することにより、断面矩形状の筐体６０が形成される。
【０００４】
筐体６０内には光電変換素子や電子部品等が収容される。筐体６０の手前側にはレセプタクル６３が配置され、例えば２個の光コネクタ（図示省略）を着脱可能な開口を有している。
ハウジング６１内には、発光素子アセンブリ６４および受光素子アセンブリ６５が配置されている。発光素子アセンブリ６４は、送信用のＴＯＳＡ（Ｔｒａｎｓｍｉｔｔｅｒ  Ｏｐｔｉｃａｌ  Ｓｕｂ−Ａｓｓｅｍｂｌｙ）に相当し、受光素子アセンブリ６５よりも例えば大型で構成されている。パッケージ６４ａには半導体レーザ（ＬＤ：Ｌａｓｅｒ  Ｄｉｏｄｅ）やレンズが収納される。
【０００５】
受光素子アセンブリ６５は、受信用のＲＯＳＡ（Ｒｅｃｅｉｖｅｒ  Ｏｐｔｉｃａｌ  Ｓｕｂ−Ａｓｓｅｍｂｌｙ）に相当し、パッケージ６５ａにはフォトダイオード（ＰＤ：Ｐｈｏｔｏ  Ｄｉｏｄｅ）やレンズが収納される。そして、発光素子アセンブリ６４および受光素子アセンブリ６５は、その上方からシールド用のキャップ６６で覆われた後、さらにカバー６２で覆われている。
【０００６】
図１１（Ｂ）に示すように、シールド用のキャップ６６は、例えば、上壁６７、鋭角曲げ部６８、前壁６９、側壁７０を備えている。上壁６７は発光素子アセンブリ６４および受光素子アセンブリ６５の上方を覆う。鋭角曲げ部６８は、シールド用のキャップ６６の強度向上を図るために、上壁６７に対して９０°以下の大きさで折り曲げられている。前壁６９は、発光素子アセンブリ６４や受光素子アセンブリ６５の開口をなすＵ字状の切れ込みを有し、鋭角曲げ部６８に連なると共に上壁６７に対して垂直方向で延びている。また、側壁７０は上壁６７の両側に連なって後方に延びているが、側壁７０のうち前壁６９の近傍には、ハウジング６１の周縁に係合するフック７０ａが形成されている。
【０００７】
また、ＥＭＩの低減には、光トランシーバの筐体内の隙間を無くすことが効果的である。そこで、例えば、特許文献２には、電波吸収体を用いてＥＭＩの低減を図る技術が開示されている。電波吸収体には、例えば粘着面を有した矩形状の電波吸収シートが知られており、所定の厚みを有した電波吸収シートを図１１（Ｂ）に示した上壁６７の内面に貼り付けると、筐体内の隙間を埋めることができる。
【先行技術文献】
【特許文献】
【０００８】
【特許文献１】特開２０１１−２０９６８３号公報
【特許文献２】特開２０００−１２４４８３号公報
【発明の概要】
【発明が解決しようとする課題】
【０００９】
しかしながら、光トランシーバの小型化・高密度化に伴い、筐体内の構造は複雑になっており、電波吸収シートの効果を最大限に発揮させるためには、電波吸収シートを正確な位置に貼り付ける必要があるという問題がある。
特に、電波吸収シートの粘着面は、振動や衝撃によって上壁の内面から剥がれ落ちるのを防止するために粘着力が強くされているので、上壁の内面に一度貼り付けると貼り直しが困難になり、光トランシーバの組立作業の難易度が上がる。
【００１０】
本発明は、上述のような実情に鑑みてなされたもので、電波吸収シートをやり直しなく所望の位置に貼り付けることができるシート貼付装置およびシート貼付方法の提供を目的とする。
【課題を解決するための手段】
【００１１】
本発明によるシート貼付装置は、光トランシーバに設置されるシールド用のキャップが、上壁、前記上壁に対して鋭角状態で連なる鋭角曲げ部、前記鋭角曲げ部に連なると共に前記上壁に対して垂直方向で延びる前壁を備え、前記上壁の内面に電波吸収シートを貼り付けるシート貼付装置であって、前記上壁の内面に貼り付けられる面を外方に向けた前記電波吸収シートを保持すると共に、前記上壁の内面と前記鋭角曲げ部の内面との間に配置される先端部を有するスライダ保持部材と、保持された前記電波吸収シートを、前記上壁の内面と前記鋭角曲げ部の内面とで挟むように前記キャップに向けて押し込むスライダ部材と、前記上壁の内面および前記前壁の内面を外方に向けた前記キャップを保持すると共に、前記上壁の内面を前記先端部に向けて回動可能な保持台とを備える。
【００１２】
また、本発明によるシート貼付方法は、光トランシーバに設置されるシールド用のキャップが、上壁、前記上壁に対して鋭角状態で連なる鋭角曲げ部、前記鋭角曲げ部に連なると共に前記上壁に対して垂直方向で延びる前壁を備え、前記上壁の内面に電波吸収シートを貼り付けるシート貼付方法であって、前記キャップを、前記上壁の内面および前記前壁の内面を外方に向けて配置するステップと、前記電波吸収シートを、前記上壁の内面に貼り付けられる面を外方に向けて配置するステップと、配置された前記電波吸収シートを前記上壁の内面と前記鋭角曲げ部の内面との間に再配置するステップと、再配置された前記電波吸収シートを、前記上壁の内面と前記鋭角曲げ部の内面とで挟むように前記キャップに向けて押し出すステップと、前記上壁の内面と前記鋭角曲げ部の内面とで挟まれた前記電波吸収シートを前記キャップに向けて押し込むステップと、前記上壁の内面を前記電波吸収シートに向けて回動させるステップとを含む。
【発明の効果】
【００１３】
本発明のシート貼付装置やシート貼付方法によれば、電波吸収シートをやり直しなく正確な位置に貼り付けることができる。
【図面の簡単な説明】
【００１４】
【図１】本発明によるシート貼付装置の外観の一例を示す図である。
【図２】図１のシート貼付装置の外観を示す図である。
【図３】図２の保持台の一部分の外観を示す図である。
【図４】（Ａ）はシールドキャップとキャップ保持部の支柱との位置を説明する図、（Ｂ）はキャップ保持部へのシールドキャップの設置を説明する図である。
【図５】図１，２のシート保持部の外観を示す図である。
【図６】（Ａ）は図５のスライダ部材やスライダ保持部材を説明する図、（Ｂ）は電波吸収シートの外観を示す図である。
【図７】シールドキャップへの電波吸収シートの設置を説明する図である。
【図８】シールドキャップへの電波吸収シートの設置を説明する図である。
【図９】シールドキャップへの電波吸収シートの設置を説明する図である。
【図１０】電波吸収シート付きのシールドキャップを説明する図である。
【図１１】光トランシーバの一例を示す図である。
【発明を実施するための形態】
【００１５】
以下、添付図面を参照しながら、本発明のシート貼付装置およびシート貼付方法に係る好適な実施の形態について説明する。
図１，２は、本発明によるシート貼付装置の外観の一例を示す図である。シート貼付装置１は所定厚みの台座２を有し、キャップ保持部１０とシート保持部３０とがＸ方向で対峙して台座２に立設されている。また、台座２の高さは、例えば、Ｙ軸の正方向に沿って低くなるように形成されている。
【００１６】
図２に示すように、キャップ保持部１０は、回動支持台１１、保持台１２、回動軸１８、把持部１９を有している。詳しくは、回動支持台１１は台座２に固定され、保持台１２のＹ方向両端が回動支持台１１に回動自在に支持されている。把持部１９は保持台１２の上面に設けられており、把持部１９を掴めば、保持台１２を回動軸１８回りに容易に回動できる。なお、回動支持台１１の後端には、回動する保持台１２の後方下端を逃がすための開口が形成されている。
【００１７】
図３は、図２の保持台の一部分の外観を示す図である。この保持台１２の一部分は、保持台１２の上壁支持部１６と図２に示したシート保持部３０との間に配置され、前壁載置部１３、溝１４、上壁載置部１５、支柱１７を有している。なお、図示の保持台１２は、上壁載置部１５側と上壁支持部１６側とがネジ止めされる別体構造であるが、一体構造であってもよい。
【００１８】
上壁載置部１５は、図１１で説明したシールドキャップ６６の上壁６７と鋭角曲げ部６８との境界部分を載置可能である。支柱１７は、例えば断面矩形状に形成され、上壁載置部１５のＹ方向両端にそれぞれ設けられている。このＹ方向で見た一方の支柱１７の外側面から他方の支柱１７の外側面までの距離は、シールドキャップ６６の一方の側壁７０の内側面から他方の側壁７０の内側面までの距離に相当する。このため、各支柱１７は、いずれも側壁７０と側壁７０との間に位置し、側壁７０の内側面に係合可能である。
【００１９】
また、Ｘ方向で見た支柱の背面１７ｂと上壁支持部１６との間には、シールドキャップの上壁６７の肉厚に相当する隙間が形成されている。
前壁載置部１３は、上壁載置部１５よりも高い位置に設けられ、裏返したシールドキャップの前壁６９を載せることができる。詳しくは、前壁載置部１３と上壁載置部１５とは平行に配され、前壁載置部１３と上壁載置部１５との高さの差で鋭角曲げ部６８を受容することができる。
【００２０】
図４（Ａ）はシールドキャップとキャップ保持部の支柱との位置を説明する図である。シールドキャップ６６の鋭角曲げ部６８は上壁６７に対して鋭角状態で連なっており、この鋭角曲げ部６８の折れ角は９０度より小さい、例えば６０度程度の大きさである。また、前壁６９のＹ方向両端には支柱１７を受容する凹みが形成されている。なお、シールドキャップが本発明のシールド用のキャップに相当する。
【００２１】
図４（Ｂ）は図１のＩＶ−ＩＶ線の矢視断面図に相当し、キャップ保持部へのシールドキャップの設置を説明する図である。図４（Ｂ）では、シールドキャップ６６の形状を明確に示すために、保持部１９の図示を省略している。上壁６７を支柱の背面１７ｂと上壁支持部１６との間の隙間に差し込み、側壁７０を支柱１７の外側から抱き付かせると、シールドキャップ６６は、上壁の内面６７ａや前壁の内面６９ａなどを外方に向けた状態で保持台１２上に保持される。なお、この図４で左側に見える側壁７０が図１１に示した発光素子アセンブリ６４に近接した側壁７０に相当する。
【００２２】
図１，２に戻り、シート保持部３０は、ポスト３１、スライダ保持部材３５、スライダ部材４２を有する。なお、図２では、キャップ保持部１０の形状を明確に示すためにスライダ保持部材３５、スライダ部材４２等の記載を省略している。ポスト３１は台座２に固定され、Ｚ方向に延びている。スライダ保持部材３５やスライダ部材４２は、ポスト３１に対してスライド可能であって、電波吸収シートをシールドキャップに向けて押し込み可能に形成されている。
【００２３】
図５は、図１，２のシート保持部の外観を示す図であり、図６（Ａ）は図５のスライダ部材やスライダ保持部材を説明する図、図６（Ｂ）は電波吸収シートの外観を示す図である。
図５に示すように、ポスト３１は、Ｘ軸の負方向に向けて突出した部分を有し、この突出部分の先端には斜面３２が形成されている。斜面３２の角度は、スライダ部材４２をシールドキャップに向けて押し込むために求められた大きさであり、例えば、斜面３２と図４（Ａ）で説明した上壁６７とのなす角は、この上壁６７と鋭角曲げ部６８とのなす角の半分程度の大きさである。
【００２４】
また、ポスト３１の上面にはスライドガイド３３が設けられ、スライドガイド３３には、スライダ保持部材３５を移動させるためのガイド溝３４が形成されている。具体的には、ガイド溝３４は、ポスト３１の上方位置では水平方向に形成されており、スライダ保持部材３５を水平方向に移動させる。なお、水平姿勢のスライダ保持部材３５は、ポスト３１の上面やスライドガイド３３の先端に支持される。
【００２５】
スライダ保持部材３５は、スライドガイド３３の両端側に位置する腕３７を有し、腕３７の一端はＹ方向に延びた支持軸３６で連結され、支持軸３６はガイド溝３４に遊嵌されている。腕３７の他端はＸ軸の負方向に向けて延び、先端部３７ａを有している。図６に示すように、先端部３７ａは、スライダ搭載面３８、シート載置面３９、土手４１からなり、シート載置面３９はスライダ搭載面３８と土手４１との間に設けられている。なお、先端部３７ａのＹ方向幅は、図３，４で説明した保持台１２の支柱１７間の距離よりも短い長さである。
【００２６】
また、腕３７の先端部３７ａには、図６（Ａ）で見た右側（Ｙ軸の正方向に相当する）にガイド部材３７ｂが設けられている。ガイド部材３７ｂは、後述する電波吸収シートの側面に当接して支持する案内面３７ｃを有している。ガイド部材３７ｂのＸ軸の負方向の先端は、支柱１７との接触を防止するために大きく面取りされている。
図６（Ｂ）に示す電波吸収シート８０は、磁性材料（例えばフェライト等）の粉末が矩形状のゴム（例えばシリコン等）の基材に練り込まれており、上記水平方向に配置されたスライダ保持部材３５に対し、粘着面８１を外方に向けてセットされる。
【００２７】
ここで、例えば、電波吸収シート８０が発光素子アセンブリの周辺に貼付され、受光素子アセンブリの周辺には貼付されない場合、電波吸収シート８０は、図６（Ａ）に破線で示す位置にセットされる。
詳しくは、図１，２で説明した台座２は、図６（Ｂ）に示すシート側面８３がガイド部材３７ｂの案内面３７ｃに常に当接して支持されるように傾斜しているので、電波吸収シート８０をセットする場合、まず、作業者が例えばシート側面８３の反対側を指で掴み、シート側面８３を下方に向けて案内面３７ｃに接触させる。次いで、掴んでいた指を離せば、図６（Ａ）に破線で示すように、シート載置面３９の右方に寄った状態の電波吸収シート８０をセットし易くなる。
【００２８】
電波吸収シート８０がシールドキャップに向けて押し出される場合、電波吸収シート８０は、まず、ガイド部材３７ｂの案内面３７ｃに支持された状態で先端部３７ａの土手４１上を進んで突出する。続いて、土手４１から突出した電波吸収シート８０は、図４で説明した支柱の内側面１７ａに支持された状態でシールドキャップの奥に向かう。このため、ガイド部材３７ｂや支柱１７は側壁７０のシート禁止領域を設けるスペーサ（マスクともいう）に相当し、電波吸収シート８０を、貼付基準線（図６（Ａ）に二点鎖線で示す）よりもＹ軸の正方向に寄らないように、シールドキャップに貼り付け可能になる。
【００２９】
なお、図６（Ｂ）に示すシート前面８２が土手４１の後方に配置されるが、シート載置面３９と土手４１との間を、これらシート載置面３９と土手４１との段差を解消した傾斜面にすれば、電波吸収シート８０を押し出す際に、シート前面８２が土手４１に引っ掛かり難くなり、より好適である。
スライダ部材４２はシート押圧片４３および把持片４４を有し、把持片４４はシート押圧片４３の後方で背高に形成される。シート押圧片４３は、電波吸収シート８０をシート載置面３９から押し出すまでは、シート載置面３９の後方で電波吸収シート８０の後面を押圧可能に配置されている。
【００３０】
また、スライダ部材４２は図６（Ａ）で見た左側（Ｙ軸の負方向に相当する）に寄せて配置されており、傾斜した台座上で電波吸収シート８０をシールドキャップに貼り付ける際に、把持片４４と図４（Ｂ）のＹ軸の正方向に位置する側壁７０との接触を防止する。
図５に戻り、上記スライドガイド３３のガイド溝３４は、斜面３２の上方位置では斜め下方向に、次いで垂直下方向に形成されている。これにより、水平姿勢のスライダ保持部材３５を、斜面３２に沿って傾斜した姿勢でこの斜面３２上に配置できる。
【００３１】
図７〜図９は、シールドキャップへの電波吸収シートの設置を説明する図であり、図１０は、電波吸収シート付きのシールドキャップを説明する図である。
例えば、まずシールドキャップ６６を、図４（Ｂ）で説明した上壁の内面６７ａや、鋭角曲げ部の内面６８ａおよび前壁の内面６９ａを外方に向け、側壁７０の内側面と支柱１７の外側面とが向き合うように降ろし、上壁６７を支柱の背面１７ｂと上壁支持部１６との間の隙間に差し込んで保持台１２上に配置する（キャップ配置工程）。一方、水平姿勢のスライダ保持部材３５に対し、電波吸収シート８０を、粘着面８１を上方に向けた状態でシート載置面３９に配置する（シート配置工程）。
【００３２】
そして、スライダ保持部材３５をスライドガイド３３のガイド溝３４に沿って移動させ、図７に示すように、スライダ保持部材３５を斜面３２上に配置し、その先端部３７ａを図４（Ｂ）で説明した上壁の内面６７ａと鋭角曲げ部の内面６８ａとの間に配置する（スライダ保持部材位置決め工程（本発明のシート再配置工程に相当する））。
続いて、図７に矢印で示すように、スライダ部材４２をスライダ保持部材３５上で移動させ、シート押圧片４３で電波吸収シート８０をシールドキャップ６６に向けて押し出す（シート押出工程）。
【００３３】
これにより、電波吸収シート８０は、図６（Ａ）に示したシート側面８３がガイド部材３７ｂの案内面３７ｃに支持されつつ、シート前面８２を先頭にしてスライダ保持部材３５から突出する。この突出した電波吸収シート８０の支持は支柱１７に引き継がれ、シート側面８３は支柱の内側面１７ａに支持される。
この場合、図８（Ａ）に示すように、シート前面８２は、粘着面８１側に位置した上辺８２ａが上壁の内面６７ａに接触し、粘着面８１の反対側に位置した下辺８２ｂが鋭角曲げ部の内面６８ａに接触し、シート前面８２が上壁の内面６７ａと鋭角曲げ部の内面６８ａとで挟持される。
【００３４】
その後、スライダ部材４２をスライダ保持部材３５上でさらに移動させ、シート前面８２がシールドキャップ６６に向けてさらに押し込まれると、図８（Ｂ）に示すように、電波吸収シート８０は撓み、粘着面８１が上壁の内面６７ａに向けて凸状に湾曲する。これにより、シート前面８２がシールドキャップ６６の奥まで押し込まれ、上壁の内面６７ａに対する上辺８２ａの貼り付け位置が決まる（シート押し込み工程）。
【００３５】
次に、図９に矢印で示すように、保持台１２をＹ軸回りに回動させると、上壁の内面６７ａが先端部３７ａ上に位置した電波吸収シート８０の粘着面８１に向かうので、粘着面８１の全面が上壁の内面６７ａに貼り付けられる（キャップ回動工程）。
この結果、電波吸収シート８０付きのシールドキャップ６６を保持台１２から取り出すと、図１０（Ａ）に示すように、シート前面８２の上辺８２ａが上壁の内面６７ａに当接し、かつ、下辺８２ｂが鋭角曲げ部の内面６８ａに当接するので、電波吸収シート８０が上壁６７と鋭角曲げ部６８の双方に挟み付けられる。
【００３６】
よって、図１０（Ｂ）に示すように、シート前面８２は前壁６９の形成方向に対して斜めにならず、この前壁６９の形成方向に揃えた状態で上壁の内面６７ａに取り付けることができる。
しかも、まず、シート側面８３がスライダ保持部材３５のガイド部材３７ｂに支持されているので、シート側面８３がガイド部材３７ｂの形成方向に対して斜めにならず、ガイド部材３７ｂに対峙する側壁７０の形成方向に揃えた状態で上壁の内面６７ａに取り付け可能になる。
【００３７】
さらに、シート側面８３を図４（Ａ）で説明した支柱１７でも支持すれば、シールドキャップ６６の奥で押し潰された電波吸収シート８０が元の形状に戻る際に、シート側面８３が側壁７０の形成方向に対して斜めにならず、シート側面８３が側壁７０の形成方向により揃った状態で上壁の内面６７ａに取り付けることができる。さらに、フック７０ａがハウジングの周縁に係合できるための隙間も確保可能になる。
【００３８】
今回開示された実施の形態はすべての点で例示であって制限的なものではないと考えられるべきである。本発明の範囲は、上記した意味ではなく、特許請求の範囲によって示され、特許請求の範囲と均等の意味および範囲内でのすべての変更が含まれることが意図される。
【符号の説明】
【００３９】
１…シート貼付装置、２…台座、１０…キャップ保持部、１１…回動支持台、１２…保持台、１３…前壁載置部、１４…溝、１５…上壁載置部、１６…上壁支持部、１７…支柱、１７ａ…支柱の内側面、１７ｂ…支柱の背面、１８…回動軸、１９…把持部、３０…シート保持部、３１…ポスト、３２…斜面、３３…スライドガイド、３４…ガイド溝、３５…スライダ保持部材、３６…支持軸、３７…腕、３７ａ…先端部、３７ｂ…ガイド部材、３７ｃ…案内面、３８…スライダ搭載面、３９…シート載置面、４１…土手、４２…スライダ部材、４３…シート押圧片、４４…把持片、６０…筐体、６１…ハウジング、６２…カバー、６３…レセプタクル、６４…発光素子アセンブリ、６４ａ…パッケージ、６５…受光素子アセンブリ、６５ａ…パッケージ、６６…シールドキャップ、６７…上壁、６７ａ…上壁の内面、６８…鋭角曲げ部、６８ａ…鋭角曲げ部の内面、６９…前壁、６９ａ…前壁の内面、７０…側壁、７０ａ…フック、８０…電波吸収シート、８１…粘着面、８２…シート前面、８２ａ…上辺、８２ｂ…下辺、８３…シート側面。
【図１】
2015106687.tif 000003
【図２】
2015106687.tif 000004
【図３】
2015106687.tif 000005
【図４】
2015106687.tif 000006
【図５】
2015106687.tif 000007
【図６】
2015106687.tif 000008
【図７】
2015106687.tif 000009
【図８】
2015106687.tif 000010
【図９】
2015106687.tif 000011
【図１０】
2015106687.tif 000012
【図１１】
2015106687.tif 000013